(57)【要約】      （修正有） 【課題】簡易な構造で、製造コストを節減でき、かつ応用範囲の広い気泡式エアパルス洗浄プレートを提供する。【解決手段】プレート体を具えてなる気泡式エアパルス洗浄プレートであって、プレート体には複数の管路が内設され、かつ上面に凸状の突起柱１２を複数形成し、それぞれの突起柱には管路に連通する貫通孔１３が形成されるとともに、プレート体の上面には一方の側縁部に、管路に連通する入気孔１４を形成し、他方の側縁部に、管路に連通する接続孔１５を形成し、接続孔は複数のプレート体を接続するために用い、管路を内接する。貫通孔と、入気孔と、接続孔とを形成したプレート体は、金型を利用した一体成型で製造することによって、短時間で、より早く製造することができ、プレート体は、水、油、もしくは洗浄液を入れることのできる如何なる容器であってもその内部で使用することができる。【選択図】 図１
0003206846.tif 000002
【実用新案登録請求の範囲】
【請求項１】
プレート体を具えてなる気泡式エアパルス洗浄プレートであって、
該プレート体には複数の管路が内設され、かつ上面に凸状の突起柱を複数形成し、それぞれの該突起柱には該管路に連通する貫通孔が形成されるとともに、該プレート体の上面には一方の側縁部に、該管路に連通する入気孔を形成し、該プレート体の上面の他方の側縁部に、該管路に連通する接続孔を形成し、該接続孔は複数の該プレート体を接続するために用い、該管路を内接し、かつ該貫通孔と、該入気孔と、該接続孔とを形成した該プレート体は、金型を利用した一体成型で製造することによって、短時間で、より早く製造することができ、該プレート体は、水、油、もしくは洗浄液を入れることのできる如何なる容器であってもその内部で使用することができることを特徴とする気泡式エアパルス洗浄プレート。
【請求項２】
前記プレート体の底面に複数の吸盤を設け、該吸盤が該容器内の底面に吸着することを特徴とする請求項１に記載の気泡式エアパルス洗浄プレート。
【請求項３】
前記プレート体の底面に複数の錘体を設け、該錘体によって該プレート体が該容器内の底面に沈むことを特徴とする請求項１に記載の気泡式エアパルス洗浄プレート。
【考案の詳細な説明】
【技術分野】
【０００１】
この考案は、洗浄装置に関し、特に液体を収納した容器の底面に設置し、工業製品である機械の部品、または農産品である果物、野菜などを洗浄する気泡式エアパルス洗浄プレート
に関する。
【背景技術】
【０００２】
台湾実用新案登録第Ｍ５２４２２５号は、自動車の部品を洗浄する際に、作業員が手作業で行っていた洗浄作業の効率を高めるために、考案者が考案したものであって、その実用新案公報には、箱型本体と、管路を構成する一組の管路部材とを含んでなる洗浄装置が開示される。
【０００３】
前記箱型本体は、後部上端縁部に回動自在に支持された蓋体を具えてなり、管路部材は、互いに連通し、かつ格子状を形成し、該箱型本体の底面に近接した位置に設けられる。また、該管路部材は上面に複数の貫通孔を穿設してなるともに、ジョイントを設け、該ジョイントを介して外部の気圧を供給する装置に接続する。
【０００４】
また、前記箱型本体には内部にパレットを設ける。該パレットは底面に支持脚を具え、該支持脚によって該箱型本体内部の底面との間に空間が形成される。即ち、該パレットは前記管路部材上に設け、前記管路部材は該空間に位置する。さらに、前記パレットの表面には複数の孔部を穿設する。該箱型本体の内部であって、該パレット上の空間を被洗浄物の載置領域とする。
【０００５】
被洗浄物を洗浄する場合は、該箱型本体の載置領域に載置し、該蓋体を操作して該箱型本体を閉鎖し、外部の気圧を供給する装置を起動すると、エアパルスが該管路部材を経由し、該貫通孔から吐出し、さらに該パレットを貫通する孔部から被洗浄物に向かって噴出し、エアパルスが被洗浄物に反復して被洗浄物に衝突して洗浄する。よって、大量の被洗浄物を短時間で洗浄することができる。
【０００６】
但し、上述する従来の技術は、専用の箱体を用意しなければならず、かつ箱体内部にはパレット設けなければならない。しかも、該箱体の内部底面と該パレットとの間の空間に一組の管路部材を設ける。該管路部材の構造は複雑である。即ち、直線状の管体を複数用意してそれぞれに孔部を穿設し、かつ該複数の管体を直列して互いに連通するよう格子状に組み立てる。係る工程は手間と時間が掛かり、製造コストが高くなる。よって、製品の市場における競争力が低下する。
【先行技術文献】
【特許文献】
【０００７】
台湾実用新案登録第Ｍ５２４２２５号公報
【考案の概要】
【考案が解決しようとする課題】
【０００８】
この考案は、簡易な構造で、製造コストを節減でき、かつ応用範囲の広い気泡式エアパルス洗浄プレートを提供することを課題とする。
【課題を解決するための手段】
【０００９】
そこで、本考案者は、従来の技術に見られる欠点に鑑み鋭意研究を重ねた結果、複数の管路が内設され、かつ上面に凸状の突起柱を複数形成し、それぞれの該突起柱には該管路に連通する貫通孔が形成されるプレート体を具え、該プレート体の上面には一方の側縁部に、該管路に連通する入気孔を形成し、該プレート体の上面の他方の側縁部に、該管路に連通する接続孔を形成し、該接続孔は複数の該プレート体を接続するために用い、該管路を内接し、かつ該貫通孔と、該入気孔と、該接続孔とを形成した該プレート体は、金型を利用した一体成型で製造することによって、短時間で、より早く製造することができ、該プレート体は、水、油、もしくは洗浄液を入れることのできる如何なる容器であってもその内部で使用することができる気泡式エアパルス洗浄プレートによって課題を解決できる点に着眼し、係る知見に基づいて本考案を完成させた。
【００１０】
以下、この考案について説明する。請求項１に記載の気泡式エアパルス洗浄プレートは、プレート体を具えてなる気泡式エアパルス洗浄プレートであって、該プレート体には複数の管路が内設され、かつ上面に凸状の突起柱を複数形成し、それぞれの該突起柱には該管路に連通する貫通孔が形成されるとともに、該プレート体の上面には一方の側縁部に、該管路に連通する入気孔を形成し、該プレート体の上面の他方の側縁部に、該管路に連通する接続孔を形成し、該接続孔は複数の該プレート体を接続するために用い、該管路を内接し、かつ該貫通孔と、該入気孔と、該接続孔とを形成した該プレート体は、金型を利用した一体成型で製造することによって、短時間で、より早く製造することができ、該プレート体は、水、油、もしくは洗浄液を入れることのできる如何なる容器であってもその内部で使用することができる。
【００１１】
請求項２記載する気泡式エアパルス洗浄プレートは、請求項１におけるプレート体の底面に複数の吸盤を設け、該吸盤が該容器内の底面に吸着する。
【００１２】
請求項３記載する気泡式エアパルス洗浄プレートは、請求項１におけるプレート体の底面に複数の錘体を設け、該錘体によって該プレート体が該容器内の底面に沈む。
【図面の簡単な説明】
【００１３】
【図１】この考案による洗浄プレートを示した斜視図である。
【図２】吸盤を設けた洗浄プレートの底面側の外観を示した斜視図である。
【図３】錘体を設けた洗浄プレート底面側の外観を示した斜視図である。
【図４】この考案における洗浄プレートと錘体との構成を示した説明図である。
【図５】この考案における洗浄プレートを洗浄容器内に設置した状態を示した斜視図である。
【図６】吸盤を設けた洗浄プレートを洗浄容器内に設置した状態を示した断面図である。
【図７】錘体を設けた洗浄プレートを洗浄容器内に設置した状態を示した断面図である。
【図８】この考案による洗浄プレートの使用態様を示した説明図である。
【考案を実施するための形態】
【００１４】
この考案は、簡易な構造で、製造コストを節減でき、かつ応用範囲の広い気泡式エアパルス洗浄プレートを提供するものであって、複数の管路が内設され、かつ上面に凸状の突起柱を複数形成し、それぞれの該突起柱には該管路に連通する貫通孔が形成されるプレート体を具え、該プレート体の上面には一方の側縁部に、該管路に連通する入気孔を形成し、該プレート体の上面の他方の側縁部に、該管路に連通する接続孔を形成してなる。係る気泡式エアパルス洗浄プレートの特徴を説明するために、具体的な実施例を挙げ、図面を参照にして以下に詳述する。
【実施例】
【００１５】
図１に開示するように、この考案による洗浄装置は、プレート体１０を具える。プレート体０には、複数の管路１１が内設され、かつ上面に凸状の突起柱１２を複数形成する。それぞれの突起柱１２には管路１１に連通する貫通孔１３が形成される。
【００１６】
また、プレート体１０の上面には一方の側縁部に、管路１１に連通する入気孔１４を形成し、かつプレート体１０の上面の他方の側縁部に、管路１１に連通する接続孔１５を形成する。接続孔１５は複数のプレート体１０を接続して、１枚の洗浄プレート１とする。管路１１を内接し、かつ貫通孔１３と、入気孔１４と、接続孔１５とを形成したプレート体１０は、金型を利用した一体成型で製造することによって、短時間で、より早く製造することができる。
【００１７】
また、洗浄プレート１は、図５から図８に開示するように、洗浄容器２０内に設置して用いる。洗浄容器２０は洗浄媒体としての水、油、もしくは洗浄液を入れることのできる容器であれば如何なるものでもよく、応用範囲が極めて広い。
【００１８】
入気孔１４には接続管６０と開閉弁６１とを設け、かつ接続管６０と開閉弁６１を介して、エアパルスを発生する圧縮気体供給装置に接続する。圧縮気体供給装置は、例えばエアコンプレッサであってもよい。
【００１９】
図２、６に開示するように、プレート体１０の底面側には吸盤１６を設けてもよい。吸盤１６は洗浄容器２０内の底面に吸着する。
【００２０】
図３、４、７に開示するように、プレート体１０の底面側には錘体１７を設けてもよい。錘体１７を設けることによって、プレート体１０は洗浄媒体を入れた洗浄容器２０内の底面に沈む。
【００２１】
図８に開示するように、被洗浄体を洗浄容器２０内に設置した洗浄プレート１上の被洗浄物載置領域に載置し、洗浄媒体を入れる。図面に開示するように、被洗浄体は果物３０であってもよく、洗浄媒体は水４０か、もしくは油か、洗浄液であってもよい。次いで、開閉弁６１を開放すると、エアパルスと気泡５０が洗浄プレート１の複数の貫通孔１４から被洗浄物に向かって吐出され、かつエアパルスと気泡５０とによって反復して被洗浄物を洗浄する。このため大量の被洗浄物を短時間できれいに洗浄することができる。また、例えば、甘藷などの長さがあり、洗浄面積の大きい被洗浄物を洗浄する場合は、複数のプレート体１を接続して洗浄プレート１を構成することができる。
【００２２】
また、洗浄プレート１は被洗浄物の鮮度を保ち、かつ温度を降下させる作用を有する。即ち、高圧の気泡が被洗浄物に衝突することによって温度を下げる効果が得られる。一方では、洗浄プレート１の吐出する高圧の気泡は、水中の酸素の含有量を高める。よって、洗浄プレート１を大型の水槽内に設置した場合、水中の酸素の含有量が高まり、魚介類の生命力と活動力が好ましいものとなる。よって、海産物のセールスポイントとなる外観がよくなり、売値も高くなる。洗浄プレート１は水流を発生させることによって、アクティブな洗浄効果が得られる。水流方式でアクティブに送り、これに清浄を加えることによって、野菜、果実に付着した農薬、虫、又は汚れなどを効率よく洗い流すことができ、実用的である。
【符号の説明】
【００２３】
１    洗浄プレート
１０    プレート体
１１    管路
１２    突起柱
１３    貫通孔
１４    入気孔
１５    接続孔
１６    吸盤
１７    錘体
２０    洗浄容器
３０    果物
４０    水
５０    気泡
６０    接続管
６１    開閉弁
【図１】
0003206846.tif 000003
【図２】
0003206846.tif 000004
【図３】
0003206846.tif 000005
【図４】
0003206846.tif 000006
【図５】
0003206846.tif 000007
【図６】
0003206846.tif 000008
【図７】
0003206846.tif 000009
【図８】
0003206846.tif 000010